(57)【要約】【課題】通信サービスに与える影響を低減しながら波長切替を行う。【解決手段】異なる波長を用いる波長モジュール３−１、３−２は、ＯＮＵ５からの光信号から取得したパケットを集線装置４に出力し、集線装置４から受信したパケットを光信号に設定してＯＮＵ５に送信する。集線装置４の集線部４２は、波長モジュール３−１、３−２からのパケットを集線して上位ＮＷ７５に送信し、上位ＮＷ７５からのパケットを波長モジュール３−１、３−２へ分離して出力する。ＣＰＵ４１は、ＯＮＵ５と上位ＮＷ７５との間の通信制御に関する機能を実行する。さらに、ＣＰＵ４１は、切替元の波長モジュールが用いる波長によるパケットの送受信を停止して切替先の波長モジュールが用いる波長によるパケットの送受信を行うよう制御する波長切替機能を有する外部制御装置８から波長切替に関する指示を受信し、波長切替機能の一部をさらなる指示を受信せずに実行する。【選択図】図１
2018170572.tif 000002
【特許請求の範囲】
【請求項１】
複数の光信号送受信装置と、集線装置とを有する光通信装置であって、
前記光信号送受信装置は、
他の前記光信号送受信装置と異なる波長により他の光通信装置と光信号の送受信を行う光信号送受信部と、
前記光信号送受信部が受信した前記光信号から取得したパケットを前記集線装置に出力し、前記集線装置から受信したパケットを光信号に設定して前記光信号送受信部から出力する変換部とを備え、
前記集線装置は、
複数の前記光信号送受信装置から受信した前記パケットを集線してネットワークに送信し、前記ネットワークから受信したパケットを複数の前記光信号送受信装置へ分離して出力する集線部と、
前記他の光通信装置と前記ネットワークとの間の通信制御に関する機能を実行する制御部と、
切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し、前記波長切替機能の一部を前記外部制御装置からのさらなる指示を受信せずに実行する波長切替機能部とを備える、
ことを特徴とする光通信装置。
【請求項２】
前記波長切替機能部は、前記制御部が実行する前記機能に用いられる情報を前記光信号送受信装置から読み出して記憶しておき、前記外部制御装置から波長切替の開始の指示を受信した場合に、切替元の前記光信号送受信装置から読み出して記憶していた前記情報を、切替先の前記光信号送受信装置に書き込む、
ことを特徴とする請求項１に記載の光通信装置。
【請求項３】
前記波長切替機能部は、切替先の前記光信号送受信装置が使用する波長への切替を指示する波長切替指示を前記他の通信装置に送信する、
ことを特徴とする請求項１又は請求項２に記載の光通信装置。
【請求項４】
前記波長切替機能部は、切替元の前記光信号送受信装置へ出力する前記パケットをバッファに書き込む処理と、前記他の光通信装置に前記波長切替指示を送信し、前記波長切替指示に対する応答を前記他の光通信装置から受信した場合に、前記バッファに記憶された前記パケットを切替先の前記光信号送受信装置に出力する処理とを行う、
ことを特徴とする請求項３に記載の光通信装置。
【請求項５】
前記制御部が実行する前記機能は、前記他の光通信装置の認証機能と、前記他の光通信装置と前記ネットワークとの間の通信のブリッジ機能と、前記パケットの優先制御機能と、保守機能とのうち一以上を含む、
ことを特徴とする請求項１から請求項４のいずれか一項に記載の光通信装置。
【請求項６】
複数の光信号送受信装置と、集線装置とを有する光通信装置に用いられる波長切替方法であって、
前記光信号送受信装置が、
他の前記光信号送受信装置と異なる波長により他の光通信装置からの光信号を受信し、受信した前記光信号から取得したパケットを前記集線装置に出力する上り信号処理ステップと、
前記集線装置から受信したパケットを光信号に設定して他の前記光信号送受信装置と異なる波長により前記他の光通信装置に送信する下り信号処理ステップとを有し、
前記集線装置が、
複数の前記光信号送受信装置から受信した前記パケットを集線してネットワークに送信する集線ステップと、
前記ネットワークから受信したパケットを複数の前記光信号送受信装置へ分離して出力する分離ステップと、
前記他の光通信装置と前記ネットワークとの間の通信制御に関する機能を実行する制御ステップと、
切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し、前記波長切替機能の一部を前記外部制御装置からのさらなる指示を受信せずに実行する波長切替機能実行ステップと、
を有することを特徴とする波長切替方法。
【発明の詳細な説明】
【技術分野】
【０００１】
本発明は、光通信装置及び波長切替方法に関する。
【背景技術】
【０００２】
複数のＯＮＵ（Optical Network Unit）を、光ファイバと光学的に受動的な素子（光スプリッタ）を介して１つのＯＬＴ（Optical Line Terminal）に接続して構成する光通信システムを、一般的にＰＯＮ（Passive Optical Network）と呼ぶ。このＰＯＮにおける通信に用いる波長を多重して使用することで、従来よりも大容量な通信サービスを提供することや、使用する波長を状況に応じて柔軟に切替えることによって、ロードバランスの実現や装置故障時における信頼性を向上させることが期待されている。
【先行技術文献】
【特許文献】
【０００３】
【特許文献１】特開２０１５−８４４７０号公報
【発明の概要】
【発明が解決しようとする課題】
【０００４】
上記のように、波長切替を実施する場合、波長切替が実行されてから完了するまでの時間はできるだけ短時間であることが望ましい。これは、更新時間が長くなるほど波長切替実行中のパケットロスを防ぐために必要なバッファが大容量となることや、切替実施中の伝送遅延やパケットロスといった理由により、ユーザが利用する通信サービスへ影響を与えてしまうことが懸念されるからである。
【０００５】
従来技術では、波長切替機能はＯＬＴに実装され、波長切替を実行・制御する共通管理制御部も同様にＯＬＴに実装される。一方で、従来のＯＬＴの通信機能などの一部の機能をソフトウェア化し、このソフトウェア化された機能を実装する装置を用いることにより、仮想化されたＯＬＴがある。この仮想化ＯＬＴでは、従来のＯＬＴ内に配置されていた機能が、従来のＯＬＴの通信機能を実行する通信装置とは物理的に離れた装置に配置される構成も想定される。このような構成においては、波長切替に伴って共通管理制御部と通信装置の間の通信頻度が多くなると、それら二つの装置間の距離が離れるほど遅延の影響が大きくなり、上記のような通信サービスに影響を与える場合がある。また、通信装置と、共通管理制御部を備えた装置とが同じ通信局舎内に設置される場合もあるが、別局舎内に設置されることも想定される。
【０００６】
上記事情に鑑み、本発明は、通信サービスに与える影響を低減しながら波長切替を行うことができる光通信装置及び波長切替方法を提供することを目的としている。
【課題を解決するための手段】
【０００７】
本発明の一態様は、複数の光信号送受信装置と、集線装置とを有する光通信装置であって、前記光信号送受信装置は、他の前記光信号送受信装置と異なる波長により他の光通信装置と光信号の送受信を行う光信号送受信部と、前記光信号送受信部が受信した前記光信号から取得したパケットを前記集線装置に出力し、前記集線装置から受信したパケットを光信号に設定して前記光信号送受信部から出力する変換部とを備え、前記集線装置は、複数の前記光信号送受信装置から受信した前記パケットを集線してネットワークに送信し、前記ネットワークから受信したパケットを複数の前記光信号送受信装置へ分離して出力する集線部と、前記他の光通信装置と前記ネットワークとの間の通信制御に関する機能を実行する制御部と、切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し、前記波長切替機能の一部を前記外部制御装置からのさらなる指示を受信せずに実行する波長切替機能部とを備える。
【０００８】
本発明の一態様は、上述の光通信装置であって、前記波長切替機能部は、前記制御部が実行する前記機能に用いられる情報を前記光信号送受信装置から読み出して記憶しておき、前記外部制御装置から波長切替の開始の指示を受信した場合に、切替元の前記光信号送受信装置から読み出して記憶していた前記情報を、切替先の前記光信号送受信装置に書き込む。
【０００９】
本発明の一態様は、上述の光通信装置であって、前記波長切替機能部は、切替先の前記光信号送受信装置が使用する波長への切替を指示する波長切替指示を前記他の通信装置に送信する。
【００１０】
本発明の一態様は、上述の光通信装置であって、前記波長切替機能部は、切替元の前記光信号送受信装置へ出力する前記パケットをバッファに書き込む処理と、前記他の光通信装置に前記波長切替指示を送信し、前記波長切替指示に対する応答を前記他の光通信装置から受信した場合に、前記バッファに記憶された前記パケットを切替先の前記光信号送受信装置に出力する処理とを行う。
【００１１】
本発明の一態様は、上述の光通信装置であって、前記制御部が実行する前記機能は、前記他の光通信装置の認証機能と、前記他の光通信装置と前記ネットワークとの間の通信のブリッジ機能と、前記パケットの優先制御機能と、保守機能とのうち一以上を含む。
【００１２】
本発明の一態様は、複数の光信号送受信装置と、集線装置とを有する光通信装置に用いられる波長切替方法であって、前記光信号送受信装置が、他の前記光信号送受信装置と異なる波長により他の光通信装置からの光信号を受信し、受信した前記光信号から取得したパケットを前記集線装置に出力する上り信号処理ステップと、前記集線装置から受信したパケットを光信号に設定して他の前記光信号送受信装置と異なる波長により前記他の光通信装置に送信する下り信号処理ステップとを有し、前記集線装置が、複数の前記光信号送受信装置から受信した前記パケットを集線してネットワークに送信する集線ステップと、前記ネットワークから受信したパケットを複数の前記光信号送受信装置へ分離して出力する分離ステップと、前記他の光通信装置と前記ネットワークとの間の通信制御に関する機能を実行する制御ステップと、切替元の前記光信号送受信装置が用いる波長によるパケットの送受信を停止して切替先の前記光信号送受信装置が用いる波長によるパケットの送受信を行うよう制御する波長切替機能を有する外部制御装置から波長切替に関する指示を受信し、前記波長切替機能の一部を前記外部制御装置からのさらなる指示を受信せずに実行する波長切替機能実行ステップと、を有する。
【発明の効果】
【００１３】
本発明により、通信サービスに与える影響を低減しながら波長切替を行うことが可能となる。
【図面の簡単な説明】
【００１４】
【図１】本発明の一実施形態による光通信システムの構成図である。
【図２】同実施形態によるＯＬＴが備える機能を示す図である。
【図３】同実施形態によるＯＬＴにおけるＯＮＵ認証情報の引継ぎ手順を示す図である。
【図４】同実施形態による光通信システムの波長切替実行時のシーケンスを示す図である。
【図５】同実施形態による他の光通信システムの構成を示す図である。
【図６】従来のＯＬＴ及び集線装置に実装される機能を示す図である。
【発明を実施するための形態】
【００１５】
以下、図面を参照して本発明の実施形態を説明する。
図１は、本実施形態の光通信システム１の構成図である。同図に示す光通信システム１は、例えば、ＰＯＮ（Passive Optical Network；受動光ネットワーク）システムである。光通信システム１は、端局装置としてのＯＬＴ２と、終端装置としての１台以上のＯＮＵ５と、光スプリッタ６１と、ＭＵＸ／ＤＥＭＵＸ（マルチプレクサ／デマルチプレクサ）６２と、外部制御装置８とを備える。ＯＬＴ２は、仮想化された光通信装置の一例であり、Ｎ台（Ｎは２以上の整数）の波長モジュール３と、集線装置４とを備える。以下では、Ｎ台の波長モジュール３をそれぞれ、波長モジュール３−１〜３−Ｎと記載する。本実施形態では、Ｎ＝２の場合を例に説明する。光スプリッタ６１は、複数のＯＮＵ５それぞれと光ファイバ７１により接続され、ＭＵＸ／ＤＥＭＵＸ６２と光ファイバ７２により接続される。ＭＵＸ／ＤＥＭＵＸ６２と波長モジュール３−ｎ（ｎは１以上Ｎ以下の整数）は、光ファイバ７３−ｎにより接続される。
【００１６】
光スプリッタ６１は、光ファイバ７１により伝送された複数のＯＮＵ５からの上りの光信号を合波して、光ファイバ７２に出力する。例えば、上り信号は、波長毎にＴＤＭＡ（時分割多重アクセス）方式で送信される。ＭＵＸ／ＤＥＭＵＸ６２は、光ファイバ７２により伝送された上りの光信号を波長分離し、波長λｎの光信号を光ファイバ７３−ｎに出力する。また、ＭＵＸ／ＤＥＭＵＸ６２は、光ファイバ７３−１〜７３−Ｎのそれぞれにより伝送された下りの光信号を波長多重して光ファイバ７２に出力する。例えば、各ＯＮＵ５宛ての下りの光信号は波長毎にＴＤＭ（時分割多重）されて送信される。光スプリッタ６１は、光ファイバ７２により伝送された下りの光信号を各ＯＮＵ５と接続される光ファイバ７２に分配する。
【００１７】
波長モジュール３−ｎは、波長λｎの光信号を送受信するＰＯＮモジュールである。波長モジュール３−ｎは、波長λｎの光トランシーバや、ＰＯＮ区間のフレーム処理を行う機能部を具備する。波長モジュール３−ｎは、光ファイバ７３−ｎにより伝送された上りの光信号を光トランシーバにより電気信号に変換し、変換された電気信号のフレームからＯＮＵ５が送信したパケットをフレーム処理により取り出して集線装置４に出力する。また、波長モジュール３−ｎは、集線装置４から受信したＯＮＵ５宛ての下り通信のパケットをフレーム処理により光信号のフレームに変換し、変換されたフレームを光トランシーバにより電気信号から光信号に変換して光ファイバ７３−ｎに出力する。
【００１８】
集線装置４は、複数の波長モジュール３を収容し、外部制御装置８の共通管理制御部８１から設定された情報を元に、上位ＮＷ（ネットワーク）７５から受信したパケットを、指定された波長モジュール３へ転送する。また、集線装置４は、ＯＮＵ５から送信されたパケットを波長モジュール３から受信し、上位ＮＷ７５に転送する。
【００１９】
集線装置４は、ＣＰＵ４１、集線部４２、バッファ４３及び記憶部４４を備える。ＣＰＵ４１は、ＯＮＵ５と上位ＮＷ７５間の通信を制御する通信機能など、従来のＯＬＴが有していた一部の機能をソフトウェア処理により実行する。集線部４２は、外部制御装置８からの経路の設定等に基づくＣＰＵ４１の制御に従って、複数の波長モジュール３から受信した上り通信のパケットを上位ＮＷ７５へ出力し、上位ＮＷ７５から受信した下り通信のパケットを複数の波長モジュール３に分離して出力する。バッファ４３は、上位ＮＷ７５から受信したパケットを一時的に記憶する。記憶部４４は、各種メモリであり、プログラムやデータを記憶する。
【００２０】
外部制御装置８は、ＯＬＴ２とは別の装置であり、共通管理制御部８１を有する。共通管理制御部８１は、従来のＯＬＴが有していた波長切替機能を有している。共通管理制御部８１は、経路の設定等の制御を行い、それを設定情報としてＯＬＴ２の集線装置４に反映させる。
【００２１】
以下に、この構成を用いたＯＬＴ２における波長切替の例として、波長λ１を用いる波長モジュール３−１から波長λ２を用いる波長モジュール３−２への切替実施について説明する。
【００２２】
［波長切替機能のソフトウェア化］
本実施形態では、従来ＯＬＴに実装されていた通信機能をソフトウェアとして集線装置４に実装し、集線装置４上でも従来のＯＬＴ上で動作させる場合と同様に動作させることを可能とする。さらに波長切替機能もソフトウェア実装し、集線装置４へ機能を移行する例を示す。
【００２３】
図６は、従来のＯＬＴ９５及び集線装置９６に実装される機能を示し、図２は、本実施形態のＯＬＴ２に実装される機能を示す。図６に示す従来のＯＬＴ９５は集線装置９６と接続される。ＯＬＴ９５は、保守機能、ＯＮＵ認証機能、ブリッジ機能、優先制御機能、暗号化機能及びＰＯＮ−ＩＦ機能を有する。ＯＬＴ９５において、これらの機能は、ハードウェアや、ファームウェアにより実現される。
【００２４】
保守機能は、通信処理を行う各部における障害等の発生を検出し、検出結果を出力する機能である。ＯＮＵ認証機能は、接続されたＯＮＵ５が通信を許可する対象であるかの認証を行う機能である。ブリッジ機能は、データリンク層の宛先の情報などに基づいてパケットの中継を制御する機能であり、上位ＮＷ７５に転送するパケットに対して、宛先やサービス等に応じたデータ変換を行い、上位ＮＷ７５から受信したパケットに対しては、その逆の変換を行う機能を有する。ブリッジ機能は、上位ＮＷ７５との通信に用いられるＶＬＡＮ（Virtual Local Area Network）機能を有する。優先制御機能は、優先度の高いパケットを優先して伝送する機能である。暗号化機能は、通信先のＯＮＵ５に応じてパケット内のデータの暗号化及び復号を行う。ＰＯＮ−ＩＦ機能は、光トランシーバにより実現され、光信号の送受信を行う。
【００２５】
一方、図２に示すＯＬＴ２は、複数の波長モジュール３及び集線装置４からなる。同図では、波長モジュール３を１台のみ記載している。波長モジュール３は、従来のＯＬＴ９５が有していた機能のうち、暗号化機能とＰＯＮ−ＩＦを有する。一方、集線装置４は、従来の集線装置９６が有していた集線機能に加え、従来のＯＬＴ９５が有していた機能のうち、波長切替機能、保守機能、ＯＮＵ認証機能、ブリッジ機能及び優先制御機能を有する。集線装置４が有する波長切替機能、保守機能、ＯＮＵ認証機能、ブリッジ機能及び優先制御機能は、ＣＰＵ４１が、記憶部４４からプログラムを読み出して実行することにより実現され、これらの一部の機能を集線装置４に接続される他の装置に実装してもよい。波長モジュール３は、保守機能、ＯＮＵ認証機能、ブリッジ機能のそれぞれに用いられる保守機能用データ、ＯＮＵ認証機能用データ、ブリッジ機能用データを保持しており、これらのデータを、定期的に又はデータ更新時に集線装置４に通知する。集線装置４は、各波長モジュール３から通知されたデータを記憶部４４に記憶する。
【００２６】
上記のように、従来はＯＬＴに配置されていた機能（アルゴリズム）をソフトウェア化して集線装置（又は集線装置と接続される他の装置）において実行可能とする。これにより、従来のＯＬＴに用いられていたＰＯＮモジュールが有する機能を削減できるため、コスト削減効果が期待される。
【００２７】
［ＯＮＵ認証情報の引継ぎ］
集線装置４で機能を集約する効果の例として、波長切替時におけるＯＮＵ認証機能について説明する。
【００２８】
登録されたＯＮＵ認証情報は、波長モジュール３に保持される。本実施形態では波長切替による切替時間の短縮化のために、集線装置４においても同様にＯＮＵ認証情報を保持しておくことで、波長切替の実行時に切替先の波長モジュール３へ切替前の波長モジュール３からＯＮＵ認証情報をコピーする時間を削減する。集線装置４におけるＯＮＵ認証情報の更新は、波長モジュール３において設定情報に変更があったときに行うか、事前に波長モジュール３に設定された時間間隔や時刻を元に集線装置４に通知することにより行う。なお、ＯＬＴ２は、保守機能、ＯＮＵ認証機能、ブリッジ機能、優先制御機能のそれぞれに用いられる他の情報についても、同様の手順により引継ぎを行う。
【００２９】
図３は、ＯＬＴ２におけるＯＮＵ認証情報の引継ぎ手順を示す図である。波長λ１を使用するＯＮＵ５のＯＮＵ認証情報Ａは、波長モジュール３−１に登録される。波長モジュール３−１は、ＯＮＵ認証情報Ａを、登録時又は更新時に、あるいは、所定時刻に集線装置４に通知する（ステップＳ１）。集線装置４の記憶部４４は、通知されたＯＮＵ認証情報Ａを、波長モジュール３−１の識別情報と対応付けて記憶する。そして、集線装置４のＣＰＵ４１は、波長切替機能により、波長をλ１からλ２に切替える場合は、波長λ１を使用する波長モジュール３−１の識別情報と対応付けて記憶部４４に記憶されるＯＮＵ認証情報Ａを読み出し、波長λ２を使用する波長モジュール３−２に通知する（ステップＳ２）。波長モジュール３−２は、ＯＮＵ認証情報Ａを記憶する。これにより、認証情報を切替先の波長モジュール３−２に反映する。
【００３０】
［波長切替のシーケンス］
図４は、本実施形態による光通信システム１における波長切替実行時のシーケンスを示す図である。
【００３１】
（手順１：ＯＬＴ２への下り通信バッファ指示）
まず、波長切替実施中に上位ＮＷ７５から送られてくるパケットの損失を防ぐために、ＯＬＴ２にＯＮＵ５への通信をバッファへ蓄積するように指示を与え、指示を受け取ったＯＬＴ２は指定された波長モジュール３へ出力するパケットのバッファ４３への蓄積を開始し、再び送信命令が来るまで蓄積を続ける。この一連の動作（ステップＳ１０５〜ステップＳ１６０に相当）の契機として、外部制御装置８の共通管理制御部８１は、ＯＬＴ２の集線装置４に対して波長モジュール３−１から波長モジュール３−２への切替指示を送信する（ステップＳ１０５）。切替指示には、切替元及び切替先それぞれの波長モジュール３を特定する情報として、波長モジュール３が用いる波長の情報を切替指示に設定してもよい。指示を受け取ったＯＬＴ２は、指定された波長モジュール３に対するパケットのバッファ４３への蓄積を開始する（ステップＳ１１０）。つまり、ＯＬＴ２の集線装置４は波長切替機能により、集線部４２が上位ＮＷ７５から受信したパケットのうち切替元の波長モジュール３−１と波長λ１で光信号を送受信するＯＮＵ５宛てのパケットをバッファ４３へ蓄積する。
【００３２】
（手順２：ＯＮＵ５への波長切替指示と上り通信バッファ指示）
波長切替後のＯＬＴ２とＯＮＵ５との通信を継続させるには、ＯＮＵ５の送受信波長も変更しなければならない。集線装置４は波長切替機能により、λ１からλ２への送受信波長切替指示である波長切替ＧＡＴＥを、切替前に使用している波長モジュール３−１を使用してＯＮＵ５へ通知する（ステップＳ１１５、ステップＳ１２０）。ＯＮＵ５は、この波長切替指示を受信すると、λ１からλ２への使用波長の切替を実施するとともに、この切替が完了するまでのＵＮＩ（ユーザ−ネットワークインタフェース）側からの上り通信の損失を防ぐために、自装置が備えるバッファに上り通信を蓄積する（ステップＳ１２５）。ＯＮＵ５は、波長切替が完了したら、切替後の波長λ２を用いて波長切替完了ＲＥＰＯＲＴを送信し、波長モジュール３−２を介してＯＬＴ２へ波長切替完了の通知を行うとともに、上り通信のバッファを終了し、バッファしていた上り通信を、波長λ２を用いて送信する（ステップＳ１３０、ステップＳ１３５）。
【００３３】
（手順３：ＯＮＵ認証情報、ＶＩＤの引継ぎ）
ＯＬＴ２は、集線装置４の波長切替機能により、ＯＮＵ５への波長切替指示を送信した後、波長モジュール３を切替える前に、切替前の波長モジュール３−１の設定情報を、切替後の波長モジュール３−２へ反映させる（ステップＳ１４０）。反映させる設定情報の例としては、ＯＮＵ５のＯＮＵ認証情報と、ＶＩＤが挙げられる。
【００３４】
（手順４：波長切替の完了）
ＯＬＴ２の集線装置４は波長切替機能により、波長モジュール３−１に接続されていた全てのＯＮＵ５から波長切替完了通知を受け取ったことを確認する（ステップＳ１４５）。集線装置４は、この確認後、バッファ４３に下り通信のバッファの終了指示を行い、波長モジュール３−１から波長モジュール３−２への波長切替を完了させる（ステップＳ１５０）。本実施形態では、このバッファの終了指示は、集線装置４の波長切替機能から通信機能に対して出力されるものであり、バッファしていた下り通信の送信命令を兼ねる。
【００３５】
（手順５：バッファ内容の転送と共通管理制御部への通知）
ＯＬＴ２は、波長切替が完了した後に、集線装置４のバッファ４３にバッファしていた内容の切替後の波長モジュール３−２を用いた送信を開始する（ステップＳ１５５）。ＯＬＴ２は、バッファ４３の内容を全て転送し終わったら、集線装置４の波長切替機能により、共通管理制御部８１へ切替が終了したことを通知する（ステップＳ１６０）。外部制御装置８の共通管理制御部８１は、通知を受信すると、保持している波長モジュールの情報を更新する（ステップＳ１６５）。以降、集線装置４の集線部４２は、外部制御装置８の共通管理制御部８１から設定された情報を元に、λ２に波長を切替えたＯＮＵ５宛ての上位ＮＷ７５からのパケットを波長モジュール３−２に出力し、λ２に波長を切替えたＯＮＵ５が送信したパケットを波長モジュール３−２から受信し、集線して上位ＮＷ７５に出力する。
【００３６】
［ＰＯＮプロテクションへの適用］
図５は、ＰＯＮプロテクションを実施する光通信システム１０１の構成を示す図である。ＰＯＮプロテクション機能とは、光スイッチを用いて物理的な経路を切替えることにより、ＯＬＴを切替える機能である。同図において、図１に示す光通信システム１と同一の部分には同一の符号を付し、その説明を省略する。光通信システム１０１は、光通信システム１のＯＬＴ２及びＭＵＸ／ＤＥＭＵＸ６２に代えて、ＯＬＴ１０２及び光スイッチ１６２を備え、共通管理制御部８１を有する外部制御装置８に代えて共通管理制御部１８１を有する外部制御装置１０８を備える。
【００３７】
ＯＬＴ２は、Ｎ台（Ｎは２以上の整数）の光トランシーバ１０３を実装する。Ｎ台の光トランシーバ１０３をそれぞれ、１０３−１〜１０３−Ｎと記載する。同図では、Ｎ＝２の場合を例に示している。光トランシーバ１０３は、光信号を送受信する。ＯＬＴ１０２は、ＣＰＵ１２１、集線部１２２、バッファ１２３及び記憶部１２４を備える。集線部１２２、バッファ１２３及び記憶部１２４は、図１に示す集線装置４が備える集線部４２、バッファ４３及び記憶部４４同様の機能を有する。
【００３８】
光通信システム１０１では、従来のＯＬＴが有していたＰＯＮプロテクションの機能をソフトウェアとして実装し、外部制御装置１０８の共通管理制御部１８１とＯＬＴ１０２のＣＰＵ１２１によりＰＯＮプロテクション機能を分担する。光スイッチ１６２は、光ファイバ７３−１又は光ファイバ７３−２の切替を行う。つまり、光スイッチ１６２は、光ファイバ７２を介して受信した上り信号を出力する光ファイバと、光ファイバ７２を介して送信する下り信号を受信する光ファイバを、光ファイバ７３−１又は光ファイバ７３−２に切替える。
【００３９】
光通信システム１０１においても、光通信システム１について説明した手順と同様の手順によりＰＯＮプロテクションを実施可能である。ただし、図４に示す手順における波長モジュール３の切替と同様に光トランシーバ１０３を切替えた後に、ＰＯＮプロテクションでは光スイッチ１６２に切替指示を送り、光トランシーバ１０３を切替える必要がある。そこで、ＰＯＮプロテクションの実施時には、外部制御装置１０８の共通管理制御部１８１、又は、ＯＬＴ１０２のＣＰＵ１２１が有するＰＯＮプロテクション機能により、光トランシーバ１０３に光トランシーバ１０３の切替を指示する手順を追加する。また、光トランシーバ１０３−１及び１０３−２が同じ波長を用いて光信号を送受信する場合、ＯＬＴ１０２からＯＮＵ５への波長の切替を指示しなくてもよい。
【００４０】
共通管理制御部から高頻度で各装置に指示を与えると、共通管理制御部とＯＬＴが離れて設置された場合に遅延の影響が大きくなることが懸念される。この影響を最小化するために、本実施形態では、外部制御装置の共通管理制御部で実行される波長切替機能の一部を、ＯＬＴで実行することで、共通管理制御部とＯＬＴの間で行われる通信頻度を削減し、波長切替時間の短縮化を図る。すなわち、本実施形態では、波長切替実行時に共通管理制御部と、通信装置間での通信頻度を最小限にするために、波長モジュール（光トランシーバ）と接続されている集線装置に波長切替機能の一部を配置し、波長切替に伴う設定変更情報を集線装置に通知することで、完了までの時間短縮を実現する。本実施形態によれば、波長切替時間を短縮することによって、集線装置が具備するバッファ容量の削減が可能となる。また、通信サービスを利用するユーザへ与える影響も最小化できる。
【００４１】
上述した実施形態によれは、光通信装置（例えば、ＯＬＴ２）は、複数の光信号送受信装置（波長モジュール３）と、集線装置（例えば、集線装置４）とを備える。光信号送受信装置は、他の光信号送受信装置と異なる波長により他の光通信装置（例えば、ＯＮＵ５）と光信号の送受信を行う光信号送受信部（例えば、光トランシーバ）を有する。集線装置はさらに、光信号送受信部が受信した光信号から取得したパケットを集線装置に出力し、集線装置から受信したパケットを光信号に設定して光信号送受信部から出力する変換部（例えば、フレーム処理を行う機能部）を備える。
【００４２】
集線装置は、集線部と、制御部と、波長切替機能部とを有する。集線部は、複数の光信号送受信装置から受信したパケットを集線してネットワーク（例えば、上位ＮＷ７５）に送信し、ネットワークから受信したパケットを複数の光信号送受信装置へ分離して出力する。制御部及び波長切替機能部は、例えば、集線装置のＣＰＵが記憶部から読み出したプログラムを実行することにより実現される。制御部は、他の光通信装置とネットワークとの間の通信制御に関する機能を実行する。制御部が実行する機能は、他の光通信装置の認証機能と、他の光通信装置とネットワークとの間の通信のブリッジ機能と、パケットの優先制御機能と、保守機能とのうち一以上を含む。
【００４３】
波長切替機能部は、切替元の光信号送受信装置とのパケットの送受信を停止して切替先の光信号送受信装置とパケットを送受信するよう制御する波長切替機能を有する外部制御装置（例えば、外部制御装置８）からの波長切替に関する指示を受信し、波長切替機能の一部を外部制御装置からのさらなる指示を受信せずに実行する。例えば、波長切替機能部は、制御部が実行する機能に用いられる情報を光信号送受信装置から定期的に又は情報の更新時に読み出して記憶しておき、外部制御装置から波長切替の開始の指示を受信した場合に、切替元の光信号送受信装置から読み出して記憶していた情報を、切替先の光信号送受信装置に書き込む処理を波長切替機能の一部として行う。また、波長切替機能部は、切替元の光信号送受信装置へ出力するパケットをバッファに書き込む処理と、他の光通信装置に切替先の光信号送受信装置が使用する波長への切替を指示する波長切替指示を送信し、波長切替指示に対する応答を他の光通信装置から受信した場合に、バッファに記憶されたパケットを切替先の光信号送受信装置に出力する処理とを波長切替機能の一部として行う。
【００４４】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４５】
光通信を行う通信装置に適用可能である。
【符号の説明】
【００４６】
１…光通信システム，  ２…ＯＬＴ，  ３…波長モジュール，  ３−１〜３−２…波長モジュール，  ３−２…波長モジュール，  ４…集線装置，  ４１…ＣＰＵ，  ４２…集線部，  ４３…バッファ，  ４４…記憶部，  ５…ＯＮＵ，  ６１…光スプリッタ，  ６２…ＭＵＸ／ＤＭＵＸ，  ７１…光ファイバ，  ７２…光ファイバ，  ７３−１〜７３−２…光ファイバ，  ７５…上位ＮＷ，  ８…外部制御装置，  ８１…共通管理制御部，  ６３…光スイッチ，  １０１…光通信システム，  １０２…ＯＬＴ，  １０３−１〜１０３−２…光トランシーバ，  １２１…ＣＰＵ，  １２２…集線部，  １２３…バッファ，  １２４…記憶部，  １６２…光スイッチ
【図１】
2018170572.tif 000003
【図２】
2018170572.tif 000004
【図３】
2018170572.tif 000005
【図４】
2018170572.tif 000006
【図５】
2018170572.tif 000007
【図６】
2018170572.tif 000008